(57)【要約】【課題】記録媒体を消費せずに処理条件の設定を行う。【解決手段】画像読取装置又は複合機は、読取ユニット７０と、処理条件を示す表示９１と、処理条件と設定部材１００の位置情報とを対応付けて記憶する記憶部と、制御部と、を備えている。設定部材１００は、表示９１に対応して配置される。制御部は、処理条件を設定する場合に、読取ユニット７０により設定部材１００の位置情報を読み取る読取処理と、記憶部を参照して、読取処理において読取ユニット７０が読み取った位置情報に対応する処理条件を、処理条件として設定する設定処理と、を実行する。【選択図】図７
2020057836.tif 000002
【特許請求の範囲】
【請求項１】
記録媒体が載置される載置面を有する原稿台と、
前記載置面に載置された記録媒体の画像を読み取る読取ユニットと、
処理条件を示す表示と、
前記処理条件と、前記表示に対応して配置される設定部材の位置情報とを対応付けて記憶する記憶部と、
制御部と、を備えた画像読取装置において、
前記制御部は、
前記画像読取装置の処理条件を設定する場合に、
前記読取ユニットにより前記設定部材の位置情報を読み取る読取処理と、
前記記憶部を参照して、前記読取処理において前記読取ユニットが読み取った前記位置情報に対応する処理条件を、前記画像読取装置の処理条件として設定する設定処理と、
を実行することを特徴とする画像読取装置。
【請求項２】
前記制御部は、前記読取処理において、前記読取ユニットを前記載置面と平行な走査方向に移動させ、
複数の前記処理条件をそれぞれ示す複数の前記表示が、前記載置面と平行でかつ前記走査方向と直交する方向に並んでいることを特徴とする請求項１に記載の画像読取装置。
【請求項３】
前記制御部は、前記載置面に載置された記録媒体の画像を読み取る際に、ホームポジションとエンドポジションとの間で、前記読取ユニットを前記載置面と平行な走査方向に移動させ、
前記表示と前記ホームポジションとの前記走査方向の距離は、前記表示と前記エンドポジションとの前記走査方向の距離よりも小さいことを特徴とする請求項１又は２に記載の画像読取装置。
【請求項４】
前記制御部は、前記載置面に載置された記録媒体の画像を読み取る際に、ホームポジションとエンドポジションとの間で、前記読取ユニットを前記載置面と平行な走査方向に移動させ、
前記処理条件は、複数の主条件と、前記複数の主条件のうちの少なくとも１つを除く条件の副条件と、を含み、
前記表示は、前記複数の主条件をそれぞれ示す複数の主表示と、前記副条件を示す副表示と、を含み、
前記複数の主表示のうち前記副表示のない主表示と前記ホームポジションとの前記走査方向の距離は、前記副表示と前記ホームポジションとの前記走査方向の距離よりも小さいことを特徴とする請求項１〜３のいずれか１項に記載の画像読取装置。
【請求項５】
前記表示が前記原稿台に設けられ、前記設定部材が前記原稿台に配置されることを特徴とする請求項１〜４のいずれか１項に記載の画像読取装置。
【請求項６】
前記設定部材は、複数の前記処理条件をそれぞれ示す複数の前記表示に対応して移動可能に、前記原稿台に取り付けられていることを特徴とする請求項５に記載の画像読取装置。
【請求項７】
前記載置面は、記録媒体が載置される載置領域と、前記載置領域以外の非載置領域と、を含み、
前記表示は、前記載置面と直交する方向において前記非載置領域と重なる位置に設けられ、
前記設定部材は、前記載置面と直交する方向において前記非載置領域と重なる位置に配置されることを特徴とする請求項５又は６に記載の画像読取装置。
【請求項８】
前記設定部材は、前記表示と前記載置領域との間において、前記載置領域と前記非載置領域との境界線に沿って延びる側面であって、前記載置領域に対して前記記録媒体と同じ側に配置される側面を有することを特徴とする請求項７に記載の画像読取装置。
【請求項９】
前記非載置領域には、前記表示と前記載置領域との間において、前記載置領域と前記非載置領域との境界線に沿って延びる側面であって、前記載置領域に対して前記記録媒体と同じ側に配置される側面を有する凸部が設けられていることを特徴とする請求項７に記載の画像読取装置。
【請求項１０】
前記載置領域において、前記載置領域に対して前記表示と反対側に、記録媒体の位置決め部が設けられていることを特徴とする請求項７に記載の画像読取装置。
【請求項１１】
前記原稿台に対して開閉可能なカバーであって、前記載置面を露出させる開位置と前記載置面を塞ぐ閉位置とを取り得るカバーを備え、
前記表示及び前記設定部材は、前記カバーが前記閉位置にあるときに、外部に露出することを特徴とする請求項５〜１０のいずれか１項に記載の画像読取装置。
【請求項１２】
前記原稿台に対して開閉可能なカバーであって、前記載置面を露出させる開位置と前記載置面を塞ぐ閉位置とを取り得るカバーを備え、
前記表示が前記カバーに設けられ、前記設定部材が前記カバーに配置されることを特徴とする請求項１〜４のいずれか１項に記載の画像読取装置。
【請求項１３】
前記設定部材は、複数の前記処理条件をそれぞれ示す複数の前記表示に対応して移動可能に、前記カバーに取り付けられていることを特徴とする請求項１２に記載の画像読取装置。
【請求項１４】
前記カバーは、前記カバーが前記閉位置にあるときに外部に露出しかつ前記載置面と平行な表面と、前記カバーが前記閉位置にあるときに前記表面と前記載置面との間に位置しかつ前記載置面と平行な裏面と、を有し、前記表面から前記裏面に貫通する貫通孔が形成されており、
前記設定部材は、前記表面に配置された第１部分と、前記裏面に配置され、前記貫通孔を介して前記第１部分と連結された第２部分と、を含むことを特徴とする請求項１３に記載の画像読取装置。
【請求項１５】
前記カバーは、前記カバーが前記閉位置にあるときに外部に露出しかつ前記載置面と平行な表面と、前記カバーが前記閉位置にあるときに前記表面と前記載置面との間に位置しかつ前記載置面と平行な裏面と、を有し、
前記表示が前記裏面に設けられ、前記設定部材が前記裏面に配置されることを特徴とする請求項１２又は１３に記載の画像読取装置。
【請求項１６】
前記載置面は、記録媒体が載置される載置領域と、前記載置領域以外の非載置領域と、を含み、
前記表示は、前記カバーが前記閉位置にあるときに前記載置面と直交する方向において前記非載置領域と重なる位置に設けられ、
前記設定部材は、前記カバーが前記閉位置にあるときに前記載置面と直交する方向において前記非載置領域と重なる位置に配置されることを特徴とする請求項１２〜１５のいずれか１項に記載の画像読取装置。
【請求項１７】
記録媒体に画像を形成する画像形成部と、
記録媒体が載置される載置面を有する原稿台と、
前記載置面に載置された記録媒体の画像を読み取る読取ユニットと、
処理条件を示す表示と、
前記処理条件と、前記表示に対応して配置される設定部材の位置情報とを対応付けて記憶する記憶部と、
制御部と、を備えた複合機において、
前記制御部は、
前記複合機の処理条件を設定する場合に、
前記読取ユニットにより前記設定部材の位置情報を読み取る読取処理と、
前記記憶部を参照して、前記読取処理において前記読取ユニットが読み取った前記位置情報に対応する処理条件を、前記複合機の処理条件として設定する設定処理と、
を実行することを特徴とする複合機。
【発明の詳細な説明】
【技術分野】
【０００１】
本発明は、記録媒体の画像を読み取る読取ユニットを備えた画像読取装置、及び、読取ユニットを備えた複合機（ＭＦＰ：Multi-Function Peripheral））に関する。
【背景技術】
【０００２】
特許文献１には、画像形成部と読取ユニットを備えた複合機において、画像形成部により、画像処理の条件についてのデータをバーコードの形で用紙にプリントし、読取ユニットにより、用紙にプリントされたバーコードを読み取って、処理条件を設定することが記載されている。
【先行技術文献】
【特許文献】
【０００３】
【特許文献１】特開平０７−２８７４７７号公報
【発明の概要】
【発明が解決しようとする課題】
【０００４】
特許文献１の技術では、処理条件の設定を行うたびに、用紙（記録媒体）が消費される。
【０００５】
本発明の目的は、記録媒体を消費せずに処理条件の設定を行うことができる画像読取装置及び複合機を提供することにある。
【課題を解決するための手段】
【０００６】
本発明に係る画像形成装置は、記録媒体が載置される載置面を有する原稿台と、前記載置面に載置された記録媒体の画像を読み取る読取ユニットと、処理条件を示す表示と、前記処理条件と、前記表示に対応して配置される設定部材の位置情報とを対応付けて記憶する記憶部と、制御部と、を備えた画像読取装置において、前記制御部は、前記画像読取装置の処理条件を設定する場合に、前記読取ユニットにより前記設定部材の位置情報を読み取る読取処理と、前記記憶部を参照して、前記読取処理において前記読取ユニットが読み取った前記位置情報に対応する処理条件を、前記画像読取装置の処理条件として設定する設定処理と、を実行することを特徴とする。
【０００７】
本発明に係る複合機は、記録媒体に画像を形成する画像形成部と、記録媒体が載置される載置面を有する原稿台と、前記載置面に載置された記録媒体の画像を読み取る読取ユニットと、処理条件を示す表示と、前記処理条件と、前記表示に対応して配置される設定部材の位置情報とを対応付けて記憶する記憶部と、制御部と、を備えた複合機において、前記制御部は、前記複合機の処理条件を設定する場合に、前記読取ユニットにより前記設定部材の位置情報を読み取る読取処理と、前記記憶部を参照して、前記読取処理において前記読取ユニットが読み取った前記位置情報に対応する処理条件を、前記複合機の処理条件として設定する設定処理と、を実行することを特徴とする。
【０００８】
本発明によれば、制御部は、処理条件を設定する場合に、上記の読取処理と設定処理とを実行する。これにより、記録媒体を消費せずに処理条件の設定を行うことができる。
【０００９】
前記制御部は、前記読取処理において、前記読取ユニットを前記載置面と平行な走査方向に移動させ、複数の前記処理条件をそれぞれ示す複数の前記表示が、前記載置面と平行でかつ前記走査方向と直交する方向に並んでよい。この場合、表示に対応して配置された設定部材の位置情報を迅速に読み取ることができる。
【００１０】
前記制御部は、前記載置面に載置された記録媒体の画像を読み取る際に、ホームポジションとエンドポジションとの間で、前記読取ユニットを前記載置面と平行な走査方向に移動させ、前記表示と前記ホームポジションとの前記走査方向の距離は、前記表示と前記エンドポジションとの前記走査方向の距離よりも小さくてよい。この場合、読取ユニットをホームポジションから移動させ、表示に対応して配置された設定部材の位置情報を迅速に読み取ることができる。
【００１１】
前記制御部は、前記載置面に載置された記録媒体の画像を読み取る際に、ホームポジションとエンドポジションとの間で、前記読取ユニットを前記載置面と平行な走査方向に移動させ、前記処理条件は、複数の主条件と、前記複数の主条件のうちの少なくとも１つを除く条件の副条件と、を含み、前記表示は、前記複数の主条件をそれぞれ示す複数の主表示と、前記副条件を示す副表示と、を含み、前記複数の主表示のうち前記副表示のない主表示と前記ホームポジションとの前記走査方向の距離は、前記副表示と前記ホームポジションとの前記走査方向の距離よりも小さくてよい。この場合、副条件のない主条件が設定されるときは、読取ユニットを副表示に対応する位置まで移動させずにホームポジションに戻すことができる。したがって、処理条件の設定を迅速に行うことができる。
【００１２】
前記表示が前記原稿台に設けられ、前記設定部材が前記原稿台に配置されてよい。仮に、表示がカバーに設けられ、設定部材がカバーに配置される場合、カバーの開閉時に設定部材が移動し得る。上記構成では、当該問題を抑制できる。
【００１３】
前記設定部材は、複数の前記処理条件をそれぞれ示す複数の前記表示に対応して移動可能に、前記原稿台に取り付けられてよい。仮に、設定部材が原稿台に取り付けられていない場合、設定部材の紛失等の問題が生じ得る。上記構成では、当該問題を抑制できる。
【００１４】
前記載置面は、記録媒体が載置される載置領域と、前記載置領域以外の非載置領域と、を含み、前記表示は、前記載置面と直交する方向において前記非載置領域と重なる位置に設けられ、前記設定部材は、前記載置面と直交する方向において前記非載置領域と重なる位置に配置されてよい。仮に、表示及び設定部材が、載置面と直交する方向において載置領域と重なる位置にあると、表示や設定部材の位置情報が記録媒体の画像の読取結果に含まれることで、読取結果を補正する必要が生じ得る。上記構成では、当該問題を抑制できる。
【００１５】
前記設定部材は、前記表示と前記載置領域との間において、前記載置領域と前記非載置領域との境界線に沿って延びる側面であって、前記載置領域に対して前記記録媒体と同じ側に配置される側面を有してよい。この場合、記録媒体の縁を設定部材の側面に沿わせるようにして、記録媒体を適切な位置に載置できる。
【００１６】
前記非載置領域には、前記表示と前記載置領域との間において、前記載置領域と前記非載置領域との境界線に沿って延びる側面であって、前記載置領域に対して前記記録媒体と同じ側に配置される側面を有する凸部が設けられてよい。この場合、記録媒体の縁を凸部の側面に沿わせるようにして、記録媒体を適切な位置に載置できる。
【００１７】
前記載置領域において、前記載置領域に対して前記表示と反対側に、記録媒体の位置決め部が設けられてよい。この場合、表示や設定部材の干渉を受けずに、記録媒体を載置できる。
【００１８】
本発明に係る画像形成装置は、前記原稿台に対して開閉可能なカバーであって、前記載置面を露出させる開位置と前記載置面を塞ぐ閉位置とを取り得るカバーを備え、前記表示及び前記設定部材は、前記カバーが前記閉位置にあるときに、外部に露出してよい。この場合、カバーが閉位置にある状態で、ユーザが設定される処理条件を確認できる。
【００１９】
本発明に係る画像形成装置は、前記原稿台に対して開閉可能なカバーであって、前記載置面を露出させる開位置と前記載置面を塞ぐ閉位置とを取り得るカバーを備え、前記表示が前記カバーに設けられ、前記設定部材が前記カバーに配置されてよい。仮に、表示が原稿台に設けられ、設定部材が原稿台に配置される場合、設定部材が記録媒体と干渉し、原稿台への記録媒体の載置や、原稿台への設定部材の配置を行い難い問題が生じ得る。上記構成では、当該問題を抑制できる。
【００２０】
前記設定部材は、複数の前記処理条件をそれぞれ示す複数の前記表示に対応して移動可能に、前記カバーに取り付けられてよい。仮に、設定部材がカバーに取り付けられていない場合、設定部材の紛失等の問題が生じ得る。上記構成では、当該問題を抑制できる。
【００２１】
前記カバーは、前記カバーが前記閉位置にあるときに外部に露出しかつ前記載置面と平行な表面と、前記カバーが前記閉位置にあるときに前記表面と前記載置面との間に位置しかつ前記載置面と平行な裏面と、を有し、前記表面から前記裏面に貫通する貫通孔が形成されており、前記設定部材は、前記表面に配置された第１部分と、前記裏面に配置され、前記貫通孔を介して前記第１部分と連結された第２部分と、を含んでよい。この場合、カバーが閉位置にある状態で、ユーザが第１部分を把持して設定部材を移動させ、所望の位置に設定部材を配置することができる。
【００２２】
前記カバーは、前記カバーが前記閉位置にあるときに外部に露出しかつ前記載置面と平行な表面と、前記カバーが前記閉位置にあるときに前記表面と前記載置面との間に位置しかつ前記載置面と平行な裏面と、を有し、前記表示が前記裏面に設けられ、前記設定部材が前記裏面に配置されてよい。この場合、カバーに形成された貫通孔を介して互いに連結した第１部分及び第２部分を設ける場合に比べ、貫通孔を形成する必要がなく、貫通孔からの異物浸入を防止するために貫通孔を塞ぐ部材を設ける必要もない。
【００２３】
前記載置面は、記録媒体が載置される載置領域と、前記載置領域以外の非載置領域と、を含み、前記表示は、前記カバーが前記閉位置にあるときに前記載置面と直交する方向において前記非載置領域と重なる位置に設けられ、前記設定部材は、前記カバーが前記閉位置にあるときに前記載置面と直交する方向において前記非載置領域と重なる位置に配置されてよい。仮に、表示及び設定部材が、カバーが閉位置にあるときに載置面と直交する方向において載置領域と重なる位置にあると、表示や設定部材の位置情報が記録媒体の画像の読取結果に含まれることで、読取結果を補正する必要が生じ得る。上記構成では、当該問題を抑制できる。
【発明の効果】
【００２４】
本発明によれば、制御部は、処理条件を設定する場合に、上記の読取処理と設定処理とを実行する。これにより、記録媒体を消費せずに処理条件の設定を行うことができる。
【図面の簡単な説明】
【００２５】
【図１】本発明の第１実施形態に係る複合機を示す斜視図である。
【図２】図１の複合機においてカバーが閉じた状態を示す斜視図である。
【図３】図１の複合機の電気的構成を示すブロック図である。
【図４】図１の複合機に含まれる画像形成部を示す平面図である。
【図５】図１の複合機に含まれる画像読取部を示す平面図である。
【図６】図５の画像読取部の側面図である。
【図７】図５の画像読取部の表示部及び設定部材を示す平面図である。
【図８】図１の複合機のＲＯＭに記憶された情報を示すテーブルを示す図である。
【図９】図１の複合機のＣＰＵが実行する設定プログラムを示すフロー図である。
【図１０】本発明の第２実施形態に係る複合機に含まれる画像読取部の表示部及び設定部材を示す平面図である。
【図１１】図１０の画像読取部の側面図である。
【図１２】本発明の第３実施形態に係る複合機に含まれる画像読取部の表示部及び設定部材を示す平面図である。
【図１３】本発明の第４実施形態に係る複合機に含まれるカバーの表面を示す平面図である。
【図１４】図１３のＸＩＶ−ＸＩＶ線に沿った断面図である。
【図１５】本発明の第５実施形態に係る複合機に含まれるカバーの裏面を示す平面図である。
【発明を実施するための形態】
【００２６】
＜第１実施形態＞
本発明の第１実施形態に係る複合機１（本発明の第１実施形態に係る画像読取装置にも該当する。）は、図１及び図２に示すように、筐体１ａと、筐体１ａの下部に設けられたインクジェット方式の画像形成部１０と、筐体１ａの上部に設けられたフラットベッド方式の画像読取部５０と、筐体１ａに対して開閉可能に取り付けられたカバー１ｃと、給紙トレイ１ｍと、排紙トレイ１ｎとを備えている。
【００２７】
複合機１は、また、図３に示すように、制御装置１ｐ、入力部１ｕ及び出力部１ｖを備えている。制御装置１ｐは、内部バス１ｂを介して、入力部１ｕ、出力部１ｖ、画像形成部１０の搬送モータ１４ｍ等、及び、画像読取部５０の光源７１ａ等と接続されている。
【００２８】
制御装置１ｐは、ＣＰＵ（Central Processing Unit）１ｐ１、ＲＯＭ（Read Only Memory）１ｐ２及びＲＡＭ（Random Access Memory）１ｐ３を有する。ＲＯＭ１ｐ２には、ＣＰＵ１ｐ１が各種制御を行うためのプログラムやデータが格納されている。ＲＡＭ１ｐ３は、ＣＰＵ１ｐ１がプログラムを実行する際に用いるデータを一時的に記憶する。
【００２９】
入力部１ｕは、例えば筐体１ａに設けられたスイッチやボタンで構成される。出力部１ｖは、例えばスピーカで構成される。複合機１は、ディスプレイ（液晶ディスプレイ等）を備えておらず、タッチパネルディスプレイによる入力や、ディスプレイによる表示出力は行われない。
【００３０】
画像形成部１０は、図４に示すように、搬送機構１４、ヘッド１５及びプラテン１６を有する。
【００３１】
搬送機構１４は、給紙トレイ１ｍに配置された用紙（記録媒体）Ｐを搬送経路Ｒに送り出す給紙ローラ１４ｘと、鉛直方向と直交する直交方向にプラテン１６を挟んで配置された２つのローラ対１４ａ，１４ｂと、搬送経路Ｒを画定するガイド板１４ｇとを有する。給紙ローラ１４ｘ及びローラ対１４ａ，１４ｂは、搬送モータ１４ｍ（図３参照）の駆動により回転する。給紙トレイ１ｍに配置された用紙Ｐは、給紙ローラ１４ｘにより送り出された後、ローラ対１４ａ，１４ｂに挟持され、ローラ対１４ａ，１４ｂの回転により搬送され、排紙トレイ１ｎに受容される。
【００３２】
ヘッド１５の下面には、多数のノズル（図示略）が形成されている。ヘッド１５は、チューブ等を介して、インクを貯留するカートリッジ１９と連通している。ヘッド１５の内部には、カートリッジ１９から供給されたインクを一時的に貯留するリザーバと、リザーバから各ノズルに至る複数の流路とが形成されている。カートリッジ１９は、筐体１ａ内に設けられた装着部１９ａに着脱可能に装着されている。
【００３３】
プラテン１６は、平板状の部材であり、ヘッド１５の下方、かつ、直交方向において２つのローラ対１４ａ，１４ｂの間に配置されている。
【００３４】
ＣＰＵ１ｐ１（図３参照）は、外部装置から入力された記録指令に基づいて、ＲＯＭ１ｐ２やＲＡＭ１ｐ３に記憶されているプログラムやデータにしたがい、搬送モータ１４ｍ及びヘッド１５のドライバＩＣ１５ｄを制御する。これにより、搬送機構１４により搬送される用紙Ｐ上に、ヘッド１５のノズルからインクが吐出され、画像が形成される。
【００３５】
画像読取部５０は、図５及び図６に示すように、筐体１ａの上部により構成される原稿台６０と、筐体１ａ内に配置された読取ユニット７０及び移動機構８０とを有する。
【００３６】
原稿台６０の上面（筐体１ａの上面）は、用紙Ｐが載置される載置面６０ａである。載置面６０ａは、鉛直方向と直交する面であって、用紙Ｐが載置される載置領域６０ａｘと、載置領域６０ａｘ以外の領域であり、用紙Ｐが載置されない非載置領域６０ａｙとを含む。載置領域６０ａｘは、透明部材６１の上面により構成されている。透明部材６１は、プラスチックやガラス等からなる透光性を有する板状の部材であり、筐体１ａの上面の開口１ａｘに嵌め込まれている。
【００３７】
読取ユニット７０は、図５及び図６に示すように、直交方向に延びるラインセンサ７１と、ラインセンサ７１を保持するキャリッジ７２とを有する。
【００３８】
ラインセンサ７１は、直交方向において載置領域６０ａｘよりも若干長い。ラインセンサ７１は、ＣＩＳ(Contact Image Sensor)方式（等倍光学系）であり、Ｒ・Ｇ・Ｂ３色の発光ダイオードでそれぞれ構成される複数の光源７１ａと、複数の筒状等倍レンズ７１ｂと、複数の撮像素子７１ｃとを含む。光源７１ａ、レンズ７１ｂ及び撮像素子７１ｃは、それぞれ直交方向に配列されている。各光源７１ａは、ＣＰＵ１ｐ１（図３参照）の制御により個別に点灯又は消灯可能である。各撮像素子７１ｃは、例えばＣＭＯＳ(Complementary Metal Oxide Semiconductor)で構成される。
【００３９】
移動機構８０は、走査方向（鉛直方向及び直交方向と直交する方向）に延びるガイド８１と、走査方向に載置領域６０ａｘを挟んで配置された一対のプーリ８２ａ，８２ｂと、プーリ８２ａ，８２ｂに巻回されたベルト８３とを含む。ガイド８１は、走査方向において載置領域６０ａｘよりも若干長い。
【００４０】
プーリ８２ａは、移動モータ８０ｍの駆動により回転する。キャリッジ７２は、ガイド８１の上面に支持され、かつ、ベルト８３の上端面に設けられた固定部８３ａに固定されている。プーリ８２ａの回転に伴い、ベルト８３が走行することにより、キャリッジ７２がガイド８１に沿って走査方向に移動する。
【００４１】
載置面６０ａに載置された用紙Ｐの画像を読み取る際、ＣＰＵ１ｐ１（図３参照）は、移動モータ８０ｍを制御し、ホームポジションＨＰとエンドポジションＥＰとの間で、キャリッジ７２を走査方向に往復移動させる。また、このときＣＰＵ１ｐ１は、複数の光源７１ａを点灯させる。これにより、複数の光源７１ａのそれぞれから、載置面６０ａに載置された用紙Ｐに向けて光が照射される。当該光は、透明部材６１を透過して用紙Ｐで反射され、レンズ７１ｂを通って、撮像素子７１ｃに入射する。撮像素子７１ｃは、受けた光を電気信号に変換し、ＣＰＵ１ｐ１に出力する。
【００４２】
載置面６０ａにおける走査方向の一端には、図１、図２及び図７に示すように、３つの表示部９０と、表示部９０のそれぞれに対応して設けられた３つの設定部材１００とが設けられている。
【００４３】
表示部９０及び設定部材１００は、図７に示すように、鉛直方向において非載置領域６０ａｙと重なる位置に設けられている。また、表示部９０及び設定部材１００は、走査方向においてホームポジションＨＰの近傍に設けられており、ホームポジションＨＰとの走査方向の距離がエンドポジションＥＰとの走査方向の距離よりも小さい。
【００４４】
３つの表示部９０は、それぞれ、複数の表示９１を含む。各表示９１は、複合機１における処理条件を示す。『処理条件』とは、複合機１がその条件にしたがって処理を実行可能な条件であり、『処理条件を示す表示』には、「コピー枚数」「解像度」「メンテナンス」のような表示は含まれない。本実施形態では、「コピー枚数」の具体的な数値（枚）をそれぞれ示す複数の表示９１を含む表示部９０と、「解像度」の具体的な数値（ｄｐi）をそれぞれ示す複数の表示９１を含む表示部９０と、「メンテナンス」の具体的な条件（メンテナンスを「しない」場合と、メンテナンスを「する」場合のメンテナンスの強度（「弱」「普通」「強」）をそれぞれ示す複数の表示９１を含む表示部９０とが設けられている。これら３つの表示部９０に含まれる複数の表示９１は、直交方向に並んでいる。
【００４５】
「コピー枚数」は、画像読取部５０で読み取った画像を画像形成部１０によって用紙Ｐに形成する際の、用紙Ｐの枚数をいう。「解像度」は、画像読取部５０で読み取る画像の解像度をいう。「メンテナンス」は、ＣＰＵ１ｐ１による制御の下で行われるヘッド１５のメンテナンス（例えば、パージ（ノズルから強制的にインクを排出させること）、ワイピング（ワイパによるヘッド１５下面の拭き取り）等）をいう。メンテナンスの強度は、「弱」よりも「普通」の方がパージ及びワイピングの回数が多く、「普通」よりも「強」の方が上記回数が多い。
【００４６】
「メンテナンス」に関する表示部９０の表示９１は、「しない」「する」の２つの主条件をそれぞれ示す主表示９１ａと、「する」の主条件の副条件である「弱」「普通」「強」の３つをそれぞれ示す副表示９１ｂとを含む。即ち、『処理条件』は、複数の主条件と、複数の主条件のうちの少なくとも１つを除く条件の副条件とを含む。「しない」の主条件には副条件がなく、「しない」の主表示９１ａには副表示がない。
【００４７】
３つの設定部材１００は、３つの表示部９０に対応して、直交方向に並んで配置されている。
【００４８】
各設定部材１００は、各表示部９０に属する複数の表示９１に対応して直交方向に移動可能に、原稿台６０に取り付けられている。具体的には、各設定部材１００は、基部１００ａと、基部１００ａから走査方向に延びた把持部１００ｂとを有する。基部１００ａは、各表示９１がユーザに見えるように構成されている。把持部１００ｂは、ユーザが把持する部分である。把持部１００ｂの下面には、図６に示すように、透明部材６１の上面に形成された凹部６１ｘに嵌合する凸部１００ｂｘが設けられている。凹部６１ｘは直交方向に延びており、凸部１００ｂｘが凹部６１ｘに嵌合した状態で、ユーザが把持部１００ｂを把持して設定部材１００を原稿台６０に対して直交方向に移動させることができる。
【００４９】
把持部１００ｂは、図６及び図７に示すように、表示９１と載置領域６０ａｘとの間において、載置領域６０ａｘと非載置領域６０ａｙとの境界線Ａに沿って延びる側面１００ｂｓを有する。側面１００ｂｓは、透明部材６１よりも上方にあり、載置領域６０ａｘに対して用紙Ｐと同じ側に配置されている。
【００５０】
カバー１ｃは、図１及び図２に示すように原稿台６０に対して開閉可能であり、載置面６０ａを露出させる開位置（図１）と、載置面６０ａを塞ぐ閉位置（図２）とを取り得る。カバー１ｃは、カバー１ｃが閉位置にあるときに外部に露出しかつ載置面６０ａと平行な表面１ｃａ（図２及び図６参照）と、カバー１ｃが閉位置にあるときに表面１ｃａと載置面６０ａとの間に位置しかつ載置面６０ａと平行な裏面１ｃｂ（図１及び図６参照）とを有する。カバー１ｃを閉位置にすることで、外部からの光が読取ユニット７０に入り込むことが抑制される。
【００５１】
カバー１ｃは、原稿台６０に対する回動軸近傍の基部を除き、走査方向の長さが原稿台６０の走査方向の長さよりも小さい。図２に示すように、カバー１ｃが閉位置にあるとき、表示部９０及び設定部材１００が外部に露出し、表示部９０及び設定部材１００の基部１００ａがユーザに見えるように構成されている。また、カバー１ｃが閉位置にあるとき、カバー１ｃにおける上記基部以外の部分の走査方向の一端１ｃ１は、図７に示すように、透明部材６１における走査方向の一端と鉛直方向に重なり、設定部材１００の基部１００ａと把持部１００ｂとの段差に嵌合する。
【００５２】
ＲＯＭ１ｐ２は、図８に示すように、各表示９１が示す処理条件と、各表示９１に対応して配置される設定部材１００の位置情報Ｐ１〜Ｐ１０とを対応付けて記憶している。位置情報Ｐ１〜Ｐ１０は、設定部材１００が各表示９１に対応して配置されたときの、把持部１００ｂの直交方向の位置情報である。
【００５３】
次いで、図９を参照し、ＣＰＵ１ｐ１が実行する設定プログラムについて説明する。
【００５４】
ＣＰＵ１ｐ１は、先ず、処理条件の設定が必要か否かを判断する（Ｓ１）。具体的には、ユーザが、設定部材１００を、所望の処理条件を示す表示９１に対応する位置に配置した後、入力部１ｕの設定ボタンを押すことで、入力部１ｕから当該ボタンの押下を示す信号が送信されたときに、処理条件の設定が必要と判断される。
【００５５】
ＣＰＵ１ｐ１は、処理条件の設定が必要ないと判断した場合（Ｓ１：ＮＯ）、Ｓ１の処理を繰り返す。
【００５６】
ＣＰＵ１ｐ１は、処理条件の設定が必要であると判断した場合（Ｓ１：ＹＥＳ）、読取ユニット７０により設定部材１００の位置情報を読み取る（Ｓ２：読取処理）。
【００５７】
Ｓ２において、ＣＰＵ１ｐ１は、移動機構８０を駆動させ、読取ユニット７０をホームポジションＨＰからエンドポジションＥＰに向けて走査方向に移動させる。本実施形態では、図７に示すように、設定部材１００の把持部１００ｂと、ホームポジションＨＰにある読取ユニット７０とが、鉛直方向に重なる。したがって、読取ユニット７０がホームポジションＨＰからほとんど移動しない間に、設定部材１００の把持部１００ｂの位置情報を読み取ることが可能であり、読取ユニット７０がエンドポジションＥＰに到達する前に、読取ユニット７０をホームポジションＨＰに戻すことができる。
【００５８】
Ｓ２において、位置情報の読み取りは、光源７１ａから照射された光が把持部１００ｂの凸部１００ｂｘで反射し、レンズ７１ｂを通って撮像素子７１ｃに入射し、撮像素子７１ｃが当該光を電気信号に変換してＣＰＵ１ｐ１に出力することにより、行われる。
【００５９】
Ｓ２の後、ＣＰＵ１ｐ１は、ＲＯＭ１ｃ２に記憶された情報（図８参照）を参照して、Ｓ２において読取ユニット７０が読み取った位置情報に対応する処理条件を、複合機１の処理条件として設定する（Ｓ３：設定処理）。例えば、Ｓ２で読み取った位置情報がＰ１の場合、コピー枚数が１枚であるという処理条件を設定する。Ｓ２で読み取った位置情報がＰ４の場合、解像度が１００ｄｐｉであるという処理条件を設定する。Ｓ２で読み取った位置情報がＰ８の場合、メンテナンスをする（メンテナンスの強度＝弱）という処理条件を設定する。設定された処理条件に係る処理は、当該設定プログラムとは別のプログラムにより実行される。
【００６０】
Ｓ３の後、ＣＰＵ１ｐ１は、当該プログラムを終了する。
【００６１】
以上に述べたように、本実施形態によれば、ＣＰＵ１ｐ１は、処理条件を設定する場合に、読取ユニット７０により設定部材１００の位置情報を読み取る読取処理（Ｓ２）と、ＲＯＭ１ｃ２に記憶された情報（図８参照）を参照して、Ｓ２において読取ユニット７０が読み取った位置情報に対応する処理条件を、複合機１の処理条件として設定する（Ｓ３：設定処理）。これにより、用紙Ｐを消費せずに処理条件の設定を行うことができる。
【００６２】
ＣＰＵ１ｐ１は、読取処理（Ｓ２）において、読取ユニット７０を走査方向に移動させる（図７参照）。複数の表示９１が、走査方向と直交する直交方向に並んでいる。この場合、表示９１に対応して配置された設定部材１００の位置情報を迅速に読み取ることができる。
【００６３】
表示９１とホームポジションＨＰとの走査方向の距離は、表示９１とエンドポジションＥＰとの走査方向の距離よりも小さい（図７参照）。この場合、読取ユニット７０をホームポジションＨＰから移動させ、表示９１に対応して配置された設定部材１００の位置情報を迅速に読み取ることができる。
【００６４】
表示９１が原稿台６０に設けられ、設定部材１００が原稿台６０に配置されている（図１及び図２参照）。仮に、表示９１がカバー１ｃに設けられ、設定部材１００がカバー１ｃに配置される場合、カバー１ｃの開閉時に設定部材１００が移動し得る。上記構成では、当該問題を抑制できる。
【００６５】
設定部材１００は、複数の表示９１に対応して移動可能に、原稿台６０に取り付けられている（図６及び図７参照）。仮に、設定部材１００が原稿台６０に取り付けられていない場合、設定部材１００の紛失等の問題が生じ得る。上記構成では、当該問題を抑制できる。
【００６６】
表示９１は、鉛直方向において非載置領域６０ａｙと重なる位置に設けられ、設定部材１００は、鉛直方向において非載置領域６０ａｙと重なる位置に配置されている（図７参照）。仮に、表示９１及び設定部材１００が、鉛直方向において載置領域６０ａｘと重なる位置にあると、表示９１や設定部材１００の位置情報が用紙Ｐの画像の読取結果に含まれることで、読取結果を補正する必要が生じ得る。上記構成では、当該問題を抑制できる。
【００６７】
設定部材１００は、表示９１と載置領域６０ａｘとの間において、載置領域６０ａｘと非載置領域６０ａｙとの境界線Ａに沿って延びる側面１００ｂｓであって、載置領域６０ａｘに対して用紙Ｐと同じ側に配置される側面１００ｂｓを有している（図６及び図７参照）。この場合、用紙Ｐの縁を設定部材１００の側面１００ｂｓに沿わせるようにして、用紙Ｐを適切な位置に載置できる。
【００６８】
表示９１及び設定部材１００は、カバー１ｃが閉位置にあるときに、外部に露出する（図２参照）。この場合、カバー１ｃが閉位置にある状態で、ユーザが設定される処理条件を確認できる。
【００６９】
＜第２実施形態＞
次に、図１０及び図１１を参照し、本発明の第２実施形態に係る複合機（本発明の第２実施形態に係る画像読取装置にも該当する。）について説明する。
【００７０】
本実施形態と第１実施形態との主な相違点は、原稿台６０の載置面６０ａの非載置領域６０ａｙにおいて、表示９１と載置領域６０ａｘとの間に凸部２６０が設けられた点にある。
【００７１】
本実施形態では、各設定部材１００の把持部１００ｂの走査方向の長さが若干短くなっており、把持部１００ｂの側面１００ｂｓは、境界線Ａよりも非載置領域６０ａｙ側に位置する。凸部２６０は、側面１００ｂｓと境界線Ａとの間に設けられており、境界線Ａに沿って延びる側面２６０ｓを有する。側面２６０ｓは、透明部材６１よりも上方にあり、載置領域６０ａｘに対して用紙Ｐと同じ側に配置されている。凸部２６０は、例えば筐体１ａと同じ材料（樹脂等）で構成されている。
【００７２】
本実施形態によれば、設定部材１００の側面１００ｂｓに代えて、凸部２６０の側面２６０ｓに、用紙Ｐの縁を沿わせるようにして、用紙Ｐを適切な位置に載置できる。
【００７３】
＜第３実施形態＞
次に、図１２を参照し、本発明の第３実施形態に係る複合機（本発明の第３実施形態に係る画像読取装置にも該当する。）について説明する。
【００７４】
本実施形態と第１実施形態との主な相違点は、原稿台６０の載置面６０ａの載置領域６０ａｘにおいて、載置領域６０ａｘに対して表示９１と反対側に、用紙の位置決め部３００が設けられた点にある。
【００７５】
本実施形態では、透明部材６１の走査方向において表示９１が近接する辺とは反対側の辺と、透明部材６１の走査方向に沿った辺とで構成される角部に、用紙Ｐの角部が配置される。位置決め部３００は、透明部材６１の上記角部に位置する頂点３００ａを有する、三角マークの表示で構成されている。境界線Ａは各設定部材１００の基部１００ａと把持部１００ｂとの間にあり、把持部１００ｂは載置領域６０ａｘと鉛直方向に重なっている。
【００７６】
本実施形態によれば、表示９１や設定部材１００から離隔した位置に位置決め部３００を配置したことで、表示９１や設定部材１００の干渉を受けずに、用紙Ｐを載置できる。
【００７７】
＜第４実施形態＞
次に、図１３及び図１４を参照し、本発明の第４実施形態に係る複合機（本発明の第４実施形態に係る画像読取装置にも該当する。）について説明する。
【００７８】
本実施形態と第１実施形態との主な相違点は、図１３に示すように、表示９１がカバー４０１ｃに設けられ、設定部材１００がカバー４０１ｃに配置されている点にある。
【００７９】
本実施形態では、３つの表示部９０が、カバー４０１ｃの表面４０１ｃａに設けられている。３つの表示部９０は、直交方向に並んでいる。各表示部９０において、複数の表示９１は、走査方向に並んでいる。「メンテナンス」に関する表示部９０において、「しない」の主表示９１ａとホームポジションＨＰとの走査方向の距離は、「する」の主表示９１ａに属する「弱」「普通」「強」の副表示９１ｂとホームポジションＨＰとの走査方向の距離よりも小さい。
【００８０】
表示９１及び設定部材１００は、カバー４０１ｃが閉位置にあるとき、鉛直方向において載置面６０ａの載置領域６０ａｘと重なる。
【００８１】
各設定部材１００は、各表示部９０に属する複数の表示９１に対応して走査方向に移動可能に、カバー４０１ｃに取り付けられている。具体的には、カバー４０１ｃに、各表示部９０に対して１つずつ、走査方向に延びる貫通孔４０１ｃｘが形成されている。貫通孔４０１ｃｘは、図１４に示すように、表面４０１ｃａから裏面４０１ｃｂに貫通している。設定部材１００は、表面４０１ｃａに配置された第１部分４１０と、裏面４０１ｃｂに配置された第２部分４２０と、貫通孔４０１ｃｘに配置された第３部分４３０とを含む。第２部分４２０は、第３部分４３０を介して第１部分４１０と連結されている。第１部分４１０は、設定部材１００の把持部１００ｂにより構成されている。換言すると、第１部分４１０を構成する把持部１００ｂの下面から、第３部分４３０が突出している。第２部分４２０は、第３部分４３０の下端に接続し、第１部分４１０と鉛直方向に重なっている。これら第１部分４１０、第２部分４２０及び第３部分４３０は、設定部材１００の基部１００ａと一体的に形成されている。
【００８２】
本実施形態によれば、表示９１がカバー４０１ｃに設けられ、設定部材１００がカバー４０１ｃに配置されている（図１３参照）。仮に、表示９１が原稿台６０に設けられ、設定部材１００が原稿台６０に配置される場合、設定部材１００が用紙Ｐと干渉し、原稿台６０への用紙Ｐの載置や、原稿台６０への設定部材１００の配置を行い難い問題が生じ得る。上記構成では、当該問題を抑制できる。
【００８３】
設定部材１００は、複数の表示９１に対応して移動可能に、カバーに４０１ｃ取り付けられている（図１４参照）。仮に、設定部材１００がカバー４０１ｃに取り付けられていない場合、設定部材１００の紛失等の問題が生じ得る。上記構成では、当該問題を抑制できる。
【００８４】
設定部材１００は、表面４０１ｃａに配置された第１部分４１０と、裏面４０１ｃｂに配置され、貫通孔４０１ｃｘを介して第１部分４１０と連結された第２部分４２０とを含む（図１４参照）。この場合、カバー４０１ｃが閉位置にある状態で、ユーザが第１部分４１０（把持部１００ｂ）を把持して設定部材１００を移動させ、所望の位置に設定部材１００を配置することができる。
【００８５】
「メンテナンス」に関する表示部９０において、「しない」の主表示９１ａとホームポジションＨＰとの走査方向の距離は、「する」の主表示９１ａに属する「弱」「普通」「強」の副表示９１ｂとホームポジションＨＰとの走査方向の距離よりも小さい（図１３参照）。この場合、副条件のない主条件（「メンテナンス」を「しない」という条件）が設定されるときは、読取ユニット７０を副表示９１ｂに対応する位置まで移動させずにホームポジションＨＰに戻すことができる。したがって、処理条件の設定を迅速に行うことができる。
【００８６】
＜第５実施形態＞
次に、図１５を参照し、本発明の第５実施形態に係る複合機（本発明の第５実施形態に係る画像読取装置にも該当する。）について説明する。
【００８７】
本実施形態は、第４実施形態と類似しており、本実施形態と第４実施形態との主な相違点は、表示９１がカバー５０１ｃの裏面５０１ｃｂに設けられ、設定部材１００がカバー５０１ｃの裏面５０１ｃｂに配置されている点にある。
【００８８】
各表示部９０において、複数の表示９１は、第１実施形態と同様、直交方向に並んでいる。また、表示９１及び設定部材１００は、第１実施形態と同様、カバー５０１ｃが閉位置にあるとき、鉛直方向において載置面６０ａの非載置領域６０ａｙと重なる。
【００８９】
本実施形態によれば、表示９１がカバー５０１ｃの裏面５０１ｃｂに設けられ、設定部材１００がカバー５０１ｃの裏面５０１ｃｂに配置されている。この場合、第４実施形態（図１４）のようにカバー４０１ｃに形成された貫通孔４０１ｃｘを介して互いに連結した第１部分４１０及び第２部分４２０を設ける場合に比べ、貫通孔４０１ｃｘを形成する必要がなく、貫通孔４０１ｃｘからの異物浸入を防止するために貫通孔を塞ぐ部材を設ける必要もない。
【００９０】
表示９１は、カバー５０１ｃが閉位置にあるときに鉛直方向において非載置領域６０ａｙと重なる位置に設けられ、設定部材１００は、カバー５０１ｃが閉位置にあるときに鉛直方向において非載置領域６０ａｙと重なる位置に配置されている。仮に、表示９１及び設定部材１００が、カバー５０１ｃが閉位置にあるときに鉛直方向において載置領域６０ａｘと重なる位置にあると、表示９１や設定部材１００の位置情報が用紙Ｐの画像の読取結果に含まれることで、読取結果を補正する必要が生じ得る。上記構成では、当該問題を抑制できる。
【００９１】
＜変形例＞
以上、本発明の好適な実施形態について説明したが、本発明は上述の実施形態に限られるものではなく、特許請求の範囲に記載した限りにおいて様々な設計変更が可能なものである。
【００９２】
第１実施形態では、カバーが閉位置にあるときに表示及び設定部材が外部に露出するよう、カバーの走査方向の長さを短くしているが、表示及び設定部材を露出させる開口をカバーに形成してもよい。
【００９３】
第３実施形態では、記録媒体の位置決め部として、表示を設けているが、これに限定されない。位置決め部は、ユーザが記録媒体の位置決め部として認識可能な部分であればよく、例えば原稿台上に位置決め用の凸部を設けてもよい。
【００９４】
第４実施形態では、第１部分と第２部分とが１つの部材で構成されているが、これに限定されない。例えば、第１部分と第２部分とが互いに別の部材からなり、第１部分を構成する部材と第２部分を構成する部材とが連結されてもよい。
【００９５】
表示は、文字、図形及び記号の少なくとも１つを含む限りは任意に構成されてよく、アルファベット、数字、二次元コード等を含んでよい。表示は、シールや刻印等、任意の方法で設けられてよい。
【００９６】
表示とホームポジションとの走査方向の距離が、表示とエンドポジションとの走査方向の距離以上であってもよい。
【００９７】
表示及び設定部材が、載置面と直交する方向において載置領域と重なる位置にあってもよい。例えば、表示及び設定部材が、カバーの表面又は裏面の全領域に亘って、或いは、原稿台の載置領域の全領域に亘って、設けられてもよい。
【００９８】
例えば原稿台の側面に、表示が設けられてもよい。
【００９９】
表示は、複数に限定されず、１つだけであってもよい。
【０１００】
設定部材は、上述の各実施形態では画像読取装置又は複合機に対して着脱不能に取り付けられているが、画像読取装置又は複合機に対して着脱可能であってもよい。
【０１０１】
光源は、発光ダイオードに限定されず、蛍光ランプであってもよく、また、白色の光源のみでもよい。光源は、原稿台の下側に配置されることに限定されず、カバーに配置されてもよい。この場合、原稿台の下側に配置された撮像素子は、光源から照射されかつ記録媒体を透過した光を受け、当該光を電気信号に変換し出力してよい。或いは、撮像素子は、光源と共にカバーに配置され、光源から照射されかつ記録媒体を反射した光を受け、当該光を電気信号に変換し出力してもよい。
【０１０２】
撮像素子は、ＣＭＯＳ(Complementary Metal Oxide Semiconductor)に限定されず、ＣＣＤ(Charge Coupled Device)等であってもよい。
【０１０３】
キャリッジは、上述の実施形態では光源、撮像素子及びレンズを保持するが、保持する部材はこれに限定されない。例えば、キャリッジが光源及び撮像素子を保持し、レンズが原稿台に固定されてもよい。キャリッジは、光源及びミラーを保持してもよい。
【０１０４】
画像読取部は、レンズを含まなくてもよい。また、画像読取部に、ミラーを追加してもよい。
【０１０５】
画像読取部は、ＣＩＳ方式に限定されず、ＣＣＤ(Charge Coupled Device)方式（縮小光学系）であってもよい。また、画像読取部は、キャリッジを移動させて記録媒体の画像を読み取るフラットベッド方式に限定されず、キャリッジが静止した状態で搬送される記録媒体の画像を読み取るシートフィード方式（ＡＤＦ方式）等であってもよい。
【０１０６】
画像形成部のヘッドは、シリアル式（走査方向に移動しつつノズルから記録媒体に対して液体を吐出する方式）、ライン式（位置が固定された状態で搬送機構により搬送される記録媒体に対してインクを吐出する方式）のいずれでもよい。また、画像形成部は、液体吐出式に限定されず、例えばレーザ式、サーマル式等であってもよい。
【０１０７】
記録媒体は、用紙に限定されず、例えば布等であってもよい。
【０１０８】
本発明に係る画像読取装置は、複合機に限定されない（即ち、画像読取部を有するが画像形成部を有さない装置であってもよい）。
【０１０９】
画像読取装置又は複合機は、ディスプレイを備えてもよい。
【符号の説明】
【０１１０】
１  複合機（画像読取装置）
１ｃ  カバー
１ｐ１  ＣＰＵ（制御部）
１ｐ２  ＲＯＭ（記憶部）
１０  画像形成部
５０  画像読取部
６０  原稿台
６０ａ  載置面
６０ａｘ  載置領域
６０ａｙ  非載置領域
７０  読取ユニット
９０  表示部
９１  表示
９１ａ  主表示
９１ｂ  副表示
１００  設定部材
１００ｂｓ  側面
２６０  凸部
２６０ｓ  側面
３００  位置決め部
４０１ｃ  カバー
４０１ｃａ  表面
４０１ｃｂ  裏面
４０１ｃｘ  貫通孔
４１０  第１部分
４２０  第２部分
５０１ｃ  カバー
５０１ｃｂ  裏面
Ａ  境界線
Ｐ  用紙（記録媒体）
【図１】
2020057836.tif 000003
【図２】
2020057836.tif 000004
【図３】
2020057836.tif 000005
【図４】
2020057836.tif 000006
【図５】
2020057836.tif 000007
【図６】
2020057836.tif 000008
【図７】
2020057836.tif 000009
【図８】
2020057836.tif 000010
【図９】
2020057836.tif 000011
【図１０】
2020057836.tif 000012
【図１１】
2020057836.tif 000013
【図１２】
2020057836.tif 000014
【図１３】
2020057836.tif 000015
【図１４】
2020057836.tif 000016
【図１５】
2020057836.tif 000017